(57)【要約】【課題】本発明は、入力装置、入力装置の制御方法、入力装置の制御方法のプログラム及び入力装置の制御方法のプログラムを記録した記録媒体に関し、例えばＢｌｕｅｔｏｏｔｈによりオーディオデータを送受するオーディオ機器に適用して、パスワード等の入力に適用して、従来に比して表示部の構成を簡略化することができるようにする。【解決手段】本発明は、入力を開始して一定時間経過すると、点滅表示における点灯の期間を短くする。【選択図】        図１
2008107938.tif 000002
【特許請求の範囲】
【請求項１】
文字及び又は数字により所定桁のコードの入力を受け付ける入力装置において、
前記コードの入力開始からの経過時間を計測するタイマと、
現在入力中の桁を点滅させて、入力中の前記コードを表示する表示部と、
前記文字及び又は数字を入力し、前記コードの入力の完了の指示を入力する入力部とを備え、
前記経過時間が一定時間以上となると、前記表示部における点滅の表示において、点灯している期間を短縮させ、
前記経過時間が、前記一定時間以上の入力期間内において、前記コードの入力の完了が入力されると、それまでに入力された前記コードを記録手段に記録し、
前記経過時間が、前記一定時間以上の入力期間となると、前記表示部における表示を終了してそれまでの前記コードの入力をキャンセルする
ことを特徴とする入力装置。
【請求項２】
文字及び又は数字により所定桁のコードの入力を受け付ける入力装置の制御方法において、
前記コードの入力開始からの経過時間を計測する時間計測のステップと、
現在入力中の桁を点滅させて、入力中の前記コードを表示する表示のステップと、
前記文字及び又は数字を入力し、前記コードの入力の完了の指示を入力する入力のステップとを備え、
前記経過時間が一定時間以上となると、前記表示のステップにおける点滅の表示において、点灯している期間を短縮させる点灯期間の短縮ステップと、
前記経過時間が、前記一定時間以上の入力期間内において、前記コードの入力の完了が入力されると、それまでに入力された前記コードを記録手段に記録するコード記録のステップと、
前記経過時間が、前記一定時間以上の入力期間となると、前記表示のステップにおける表示を終了してそれまでの前記コードの入力をキャンセルする入力打ち切りのステップとを有する
ことを特徴とする入力装置の制御方法。
【請求項３】
文字及び又は数字により所定桁のコードの入力を受け付ける入力装置の制御方法のプログラムにおいて、
前記コードの入力開始からの経過時間を計測する時間計測のステップと、
現在入力中の桁を点滅させて、入力中の前記コードを表示する表示のステップと、
前記文字及び又は数字を入力し、前記コードの入力の完了の指示を入力する入力のステップとを備え、
前記経過時間が一定時間以上となると、前記表示のステップにおける点滅の表示において、点灯している期間を短縮させる点灯期間の短縮ステップと、
前記経過時間が、前記一定時間以上の入力期間内において、前記コードの入力の完了が入力されると、それまでに入力された前記コードを記録手段に記録するコード記録のステップと、
前記経過時間が、前記一定時間以上の入力期間となると、前記表示のステップにおける表示を終了してそれまでの前記コードの入力をキャンセルする入力打ち切りのステップとを有する
ことを特徴とする入力装置の制御方法のプログラム。
【請求項４】
文字及び又は数字により所定桁のコードの入力を受け付ける入力装置の制御方法のプログラムを記録した記録媒体において、
前記プログラムは、
前記コードの入力開始からの経過時間を計測する時間計測のステップと、
現在入力中の桁を点滅させて、入力中の前記コードを表示する表示のステップと、
前記文字及び又は数字を入力し、前記コードの入力の完了の指示を入力する入力のステップとを備え、
前記経過時間が一定時間以上となると、前記表示のステップにおける点滅の表示において、点灯している期間を短縮させる点灯期間の短縮ステップと、
前記経過時間が、前記一定時間以上の入力期間内において、前記コードの入力の完了が入力されると、それまでに入力された前記コードを記録手段に記録するコード記録のステップと、
前記経過時間が、前記一定時間以上の入力期間となると、前記表示のステップにおける表示を終了してそれまでの前記コードの入力をキャンセルする入力打ち切りのステップとを有する
ことを特徴とする入力装置の制御方法のプログラムを記録した記録媒体。
【発明の詳細な説明】
【技術分野】
【０００１】
本発明は、入力装置、入力装置の制御方法、入力装置の制御方法のプログラム及び入力装置の制御方法のプログラムを記録した記録媒体に関し、例えばＢｌｕｅｔｏｏｔｈによりオーディオデータを送受するオーディオ機器に適用することができる。本発明は、入力を開始して一定時間経過すると、点滅表示における点灯の期間を短くすることにより、パスワード等の入力に適用して、従来に比して表示部の構成を簡略化することができるようにする。
【背景技術】
【０００２】
従来、オーディオ装置は、ＡＵＸ（Auxiliary ）端子等を介して外部機器からオーディオデータを入力する装置が提供されている。しかしながらＡＵＸ端子等を介してオーディオデータを入力する場合には、設置時、ケーブルを配線することが必要になり、設置作業が煩雑になる。このため、近年、オーディオ装置では、Ｂｌｕｅｔｏｏｔｈにより外部機器からオーディオデータを入力する装置が提供されている。
【０００３】
ここでＢｌｕｅｔｏｏｔｈは、各種情報機器を無線により接続するデータ通信方法であり、設置時、パスコードと呼ばれるパスワードを設定することが必要である。ここでパスコードは、通信対象との間の相互認証等に使用するデータであり、漏洩すると第３者が無断で接続できることになる。そこでＢｌｕｅｔｏｏｔｈでは、パスコードの入力を開始した後、一定時間経過しても入力を完了しない場合、パスコードの入力受け付けを打ち切ることが推奨されており、これによりパスコードの漏洩を防止している。
【０００４】
そこでＢｌｕｅｔｏｏｔｈを適用したオーディオ装置では、入力中のパスコードを表示しながらパスコードの入力を受け付けるようにして、入力の受け付けを打ち切るまでの残り時間を表示し、ユーザーの使い勝手を向上している。またユーザーの操作により桁送りして１桁づつパスコードを入力するようにして、図５に示すように、現在入力中の桁の表示を一定の周期Ｔ、一定のデューティーで点滅表示し、これによってもユーザーの使い勝手を向上している。なおここでこの図５において、入力期間ｔは、パスコードの入力を受け付ける期間である。また入力の受け付けを打ち切る場合には、それまで入力されたパスコードの表示を停止し、これにより第３者への漏洩を防止している。
【０００５】
このようなＢｌｕｅｔｏｏｔｈの各種パラメータの設定に関して、例えば特開２００３−６９５７８号公報には、簡易にパラメータを設定する手法が提案されている。
【０００６】
ところでこのように入力中のパスコードに加えて、残り時間を表示する場合、表示部の構成が煩雑になる問題がある。
【特許文献１】特開２００３−６９５７８号公報
【発明の開示】
【発明が解決しようとする課題】
【０００７】
本発明は以上の点を考慮してなされたもので、パスワード等の入力に適用して、従来に比して表示部の構成を簡略化することができる入力装置、入力装置の制御方法、入力装置の制御方法のプログラム及び入力装置の制御方法のプログラムを記録した記録媒体を提案しようとするものである。
【課題を解決するための手段】
【０００８】
上記の課題を解決するため請求項１の発明は、文字及び又は数字により所定桁のコードの入力を受け付ける入力装置に適用して、前記コードの入力開始からの経過時間を計測するタイマと、現在入力中の桁を点滅させて、入力中の前記コードを表示する表示部と、前記文字及び又は数字を入力し、前記コードの入力の完了の指示を入力する入力部とを備え、前記経過時間が一定時間以上となると、前記表示部における点滅の表示において、点灯している期間を短縮させ、前記経過時間が、前記一定時間以上の入力期間内において、前記コードの入力の完了が入力されると、それまでに入力された前記コードを記録手段に記録し、前記経過時間が、前記一定時間以上の入力期間となると、前記表示部における表示を終了してそれまでの前記コードの入力をキャンセルする。
【０００９】
また請求項２の発明は、文字及び又は数字により所定桁のコードの入力を受け付ける入力装置の制御方法に適用して、前記コードの入力開始からの経過時間を計測する時間計測のステップと、現在入力中の桁を点滅させて、入力中の前記コードを表示する表示のステップと、前記文字及び又は数字を入力し、前記コードの入力の完了の指示を入力する入力のステップとを備え、前記経過時間が一定時間以上となると、前記表示のステップにおける点滅の表示において、点灯している期間を短縮させる点灯期間の短縮ステップと、前記経過時間が、前記一定時間以上の入力期間内において、前記コードの入力の完了が入力されると、それまでに入力された前記コードを記録手段に記録するコード記録のステップと、前記経過時間が、前記一定時間以上の入力期間となると、前記表示のステップにおける表示を終了してそれまでの前記コードの入力をキャンセルする入力打ち切りのステップとを有するようにする。
【００１０】
また請求項３の発明は、文字及び又は数字により所定桁のコードの入力を受け付ける入力装置の制御方法のプログラムに適用して、前記コードの入力開始からの経過時間を計測する時間計測のステップと、現在入力中の桁を点滅させて、入力中の前記コードを表示する表示のステップと、前記文字及び又は数字を入力し、前記コードの入力の完了の指示を入力する入力のステップとを備え、前記経過時間が一定時間以上となると、前記表示のステップにおける点滅の表示において、点灯している期間を短縮させる点灯期間の短縮ステップと、前記経過時間が、前記一定時間以上の入力期間内において、前記コードの入力の完了が入力されると、それまでに入力された前記コードを記録手段に記録するコード記録のステップと、前記経過時間が、前記一定時間以上の入力期間となると、前記表示のステップにおける表示を終了してそれまでの前記コードの入力をキャンセルする入力打ち切りのステップとを有するようにする。
【００１１】
また請求項４の発明は、文字及び又は数字により所定桁のコードの入力を受け付ける入力装置の制御方法のプログラムを記録した記録媒体に適用して、前記プログラムは、前記コードの入力開始からの経過時間を計測する時間計測のステップと、現在入力中の桁を点滅させて、入力中の前記コードを表示する表示のステップと、前記文字及び又は数字を入力し、前記コードの入力の完了の指示を入力する入力のステップとを備え、前記経過時間が一定時間以上となると、前記表示のステップにおける点滅の表示において、点灯している期間を短縮させる点灯期間の短縮ステップと、前記経過時間が、前記一定時間以上の入力期間内において、前記コードの入力の完了が入力されると、それまでに入力された前記コードを記録手段に記録するコード記録のステップと、前記経過時間が、前記一定時間以上の入力期間となると、前記表示のステップにおける表示を終了してそれまでの前記コードの入力をキャンセルする入力打ち切りのステップとを有するようにする。
【００１２】
請求項１、請求項２、請求項３、又は請求項４の構成によれば、いちいち残り時間を表示しなくても、点灯している期間が短縮することにより、入力期間の残り時間が短くなったことをユーザーに通知することができる。従って残り時間を表示しなくてよい分、パスワード等の入力に適用して、従来に比して表示部の構成を簡略化することができる。
【発明の効果】
【００１３】
本発明によれば、パスワード等の入力に適用して、従来に比して表示部の構成を簡略化することができる。
【発明を実施するための最良の形態】
【００１４】
以下、適宜図面を参照しながら本発明の実施例を詳述する。
【実施例１】
【００１５】
（１）実施例の構成
図２は、本発明の実施例１のオーディオシステムを示すブロック図である。このオーディオシステム１は、本体装置２に内蔵のチュナー部１１で受信した音楽コンテンツをユーザーに提供する。またさらにコンパクトディスクプレイヤー３で音楽コンテンツを再生し、本体装置２を介してユーザーに提供する。
【００１６】
このためコンパクトディスクプレイヤー３において、再生部５は、システムコントローラ６の制御によりコンパクトディスクを再生してオーディオデータ、ＴＯＣ等のデータを出力し、信号処理部７は、この再生部５から出力されるオーディオデータを処理してシステムコントローラ６に出力する。表示部８は、システムコントローラ６の制御により再生部５で再生される音楽コンテンツの曲名、トラック番号等を表示する。入力部９は、ユーザーによる操作を検出してシステムコントローラ６に通知する。送受信部１０は、Ｂｌｕｅｔｏｏｔｈのデータ通信部であり、システムコントローラ６の制御により通信対象との間で各種のデータを送受する。
【００１７】
システムコントローラ６は、図示しないメモリに記録されたプログラムに従ってこのコンパクトディスクプレイヤー３の動作を制御する制御手段である。システムコントローラ６は、このプログラムの実行により、設置時、送受信部１０を介して本体装置２からパスコードを受信し、図示しないメモリに記録する。またこのメモリに記録したパスコードを用いて、送受信部１０の動作を制御して本体装置２との間で相互認証の処理を実行し、本体装置２からの指示、入力部９で検出されるユーザーの操作に応動して各部の動作を制御する。また再生部５で再生されたオーディオデータを本体装置２に出力する。なおシステムコントローラ６は、オーディオシステムの構成によっては、本体装置２のシステムコントローラ１２について後述するパスコードの入力を別途ユーザーの操作によりコンパクトディスクプレイヤー３側で受け付けることが必要なことから、所定の操作子の操作により後述する図１と同様の処理手順を実行し、パスコードの入力を受け付ける。
【００１８】
これに対して本体装置２において、チュナー部１１は、システムコントローラ１２の制御により放送波を受信してオーディオデータを出力する。信号処理部１３は、システムコントローラ１２の制御により、システムコントローラ１２から出力されるオーディオデータ、又はチュナー部１１から出力されるオーディオデータを処理して図示しないスピーカを駆動する。
【００１９】
送受信部１４は、Ｂｌｕｅｔｏｏｔｈのデータ通信部であり、システムコントローラ１２の制御により通信対象との間で各種のデータを送受する。入力部１５は、ユーザーによる操作子の操作を検出してシステムコントローラ６に通知する。ここで本体装置２では、この入力部１５に係る操作子として、受信周波数、受信チャンネルをそれぞれアップダウンする押圧操作子が設けられ、この受信周波数、受信チャンネルをそれぞれアップダウンする押圧操作子をパスコードを入力する操作子に兼用する。表示部１６は、図３に示すように、Ｎ桁の英数字を表示可能な１列表示可能な表示機構であり、システムコントローラ１２の制御により、チュナー部１１で受信している放送波のチャンネル等を表示し、パスコード入力時には、入力中のパスコードを表示する。
【００２０】
システムコントローラ１２は、図示しないメモリに記録されたプログラムに従ってこのオーディオシステム１の動作を制御する制御手段である。なおこの実施例において、このプログラムは、本体装置２に事前にインストールされて提供されるものの、この事前のインストールに代えて、光ディスク、磁気ディスク、メモリカード等の記録媒体に記録して提供するようにしてもよく、インターネット等のネットワークを介したダウンロードにより提供するようにしてもよい。
【００２１】
システムコントローラ１２は、このプログラムの実行により、入力部１５を介して検出されるユーザーの操作に応動してチュナー部１１、信号処理部１３の動作を制御し、音楽コンテンツを受信してユーザーに提供する。またコンパクトディスクプレイヤー３の設置時、所定の操作子の操作により、パスコードの入力を受け付ける。システムコントローラ１２は、このパスコードを内蔵のメモリに記録すると共に、送受信部１４を介してコンパクトディスクプレイヤー３に通知する。またこのようにしてコンパクトディスクプレイヤー３にパスコードを通知した後においては、送受信部１４の制御によりパスコードを用いてコンパクトディスクプレイヤー３との間で相互認証の処理を実行した後、入力部１５を介して検出されるユーザーによる操作に応動して、送受信部１４を介してコンパクトディスクプレイヤー３に各種コマンドを送出する。またコンパクトディスクプレイヤー３から送信されるオーディオデータを信号処理部１３に出力し、コンパクトディスクプレイヤー３で再生される音楽コンテンツをユーザーに提供する。
【００２２】
図１は、パスコードの入力に係るシステムコントローラ１２の処理手順を示すフローチャートである。システムコントローラ１２は、この処理手順を開始するとステップＳＰ１からステップＳＰ２に移り、ここで入力期間ｔを計測するタイマをオン動作させる。また初期設定によりパスコードの全桁を例えば値０に設定し、この処理設定のパスコードを表示部１６で表示する。またパスコードの入力桁を先頭桁に設定し、表示部１６において、この入力桁を点滅表示させる。
【００２３】
続くステップＳＰ３において、システムコントローラ１２は、ユーザーが受信周波数のアップ、ダウンの操作子を操作したか否か判断し、ここで肯定結果が得られると、ステップＳＰ４に移り、現在の入力桁に設定した数字をアップ又はダウンさせ、またこの数字のアップダウンに対応するように表示部１６の表示を切り換えた後、ステップＳＰ５に移る。
【００２４】
これに対してステップＳＰ３で否定結果が得られると、システムコントローラ１２は、ステップＳＰ３からステップＳＰ６に移る。ここでシステムコントローラ１２は、受信チャンネルのアップダウンの操作子を操作したか否か判断し、ここで肯定結果が得られると、ステップＳＰ７に移り、ユーザーによる操作子の操作に応動して入力桁を次の桁又は前の桁に切り換える。またこの入力桁の切り換えに対応して表示部１６で点滅表示する桁を切り換え、ステップＳＰ５に移る。
【００２５】
これに対してステップＳＰ６で否定結果が得られると、この場合、直接ステップＳＰ６からステップＳＰ５に移る。
【００２６】
システムコントローラ１２は、ステップＳＰ５において、入力を開始して一定時間経過したか否か判断する。ここでこの実施例では、入力期間ｔが３０秒に設定され、このステップＳＰ５における一定時間が、この入力期間ｔの２／３の期間に設定される。これによりシステムコントローラ１２は、このステップＳＰ５において、入力を開始して２０秒以上が経過したか否か判断し、ここで否定結果が得られると、ステップＳＰ３に戻る。
【００２７】
これによりシステムコントローラ１２は、ユーザーによる操作子の操作に応動して、１桁づつ数字の設定を受け付けてパスコードの入力を受け付ける。
【００２８】
これに対してステップＳＰ５で肯定結果が得られると、システムコントローラ１２は、ステップＳＰ５からステップＳＰ８に移る。ここでシステムコントローラ１２は、入力期間ｔを経過したか否か判断し、ここで肯定結果が得られると、表示部１６の表示を消灯してそれまでのパスコードの入力をキャンセルした後、ステップＳＰ９に移ってこの処理手順を終了する。
【００２９】
これに対してステップＳＰ８で否定結果が得られると、システムコントローラ１２は、ステップＳＰ８からステップＳＰ１０に移る。ここでシステムコントローラ１２は、ユーザーが所定の操作子を操作してパスコードの入力の完了を指示したか否か判断する。ここで肯定結果が得られると、システムコントローラ１２は、ステップＳＰ１０からステップＳＰ１１に移り、順次入力された所定桁数の数字によりパスコードをメモリに記録する。また続くステップＳＰ１１において、このパスコードをコンパクトディスクプレイヤー３に通知し、ステップＳＰ９に移ってこの処理手順を終了する。
【００３０】
これに対してステップＳＰ１０で否定結果が得られると、システムコントローラ１２は、ステップＳＰ１０からステップＳＰ１３に移る。ここでシステムコントローラ１２は、表示部１６の点滅表示における点灯期間を短縮した後、ステップＳＰ３に戻る。ここでこの実施例では、図５との対比により図４に示すように、点灯の期間と消灯の期間とのデューティー比を一定値に保持したまま、表示部１６の点滅表示の周期Ｔを短くして点灯期間を短縮し、ユーザーに入力期間ｔの残り時間が短くなったことを通知する。
【００３１】
（２）実施例の動作
以上の構成において、このオーディオシステム１では、本体装置２に設けられた操作子の操作によりチュナー部１１で受信したオーディオデータを信号処理部１３で処理してユーザーに提供する。またコンパクトディスクプレイヤー３の動作を制御して、コンパクトディスクプレイヤー３で再生されたオーディオデータを本体装置２で受信してユーザーに提供する。
【００３２】
オーディオシステム１では、この本体装置２とコンパクトディスクプレイヤー３とがＢｌｕｅｔｏｏｔｈによる送受信部１０、１４で接続され、これにより無線通信によるデータ通信により種々のコマンド、オーディオデータを本体装置２とコンパクトディスクプレイヤー３との間で送受して、本体装置２と別体に設けられたコンパクトディスクプレイヤー３で再生される音楽コンテンツを本体装置２を介して楽しむことができる。
【００３３】
しかしながらこのようにＢｌｕｅｔｏｏｔｈによる場合には、コンパクトディスクプレイヤー３の設置時、本体装置２とコンパクトディスクプレイヤー３との相互認証に使用するパスコードを設定することが必要になる。この場合に、図３に示すようなＮ桁の表示部１６でパスコードの入力を受け付けて、入力期間の残り時間を表示する場合には、残り時間を表示する分、表示可能な桁数を多くすることが必要になり、表示部１６の構成が煩雑になる。
【００３４】
そこでこの実施例では、パスコードの入力を開始して一定時間経過して残り時間が短くなると、現在入力中の桁の点滅表示において、点滅周期を短くして点灯する期間を短くする。従ってユーザーにおいては、この点灯の期間が短くなったことを知覚して、残り時間が短くなったことを確認することができる。この場合、本体装置２においては、残り時間を表示する必要が無いことにより、その分、表示部１６の構成を簡略化することができる。
【００３５】
（３）実施例の効果
以上の構成によれば、入力を開始して一定時間経過すると、点滅表示における点灯の期間を短くすることにより、パスワード等の入力に適用して、従来に比して表示部の構成を簡略化することができる。
【実施例２】
【００３６】
なお上述の実施例においては、残り時間が一定時間以下となると、単に点滅周期を短くして点灯の期間を短くする場合について述べたが、本発明はこれに限らず、残り時間の減少により順次段階的に点滅周期を短くして点灯の期間を短くするようにしてもよく、残り時間に応じて点滅周期を設定して徐々に点灯の期間を短くするようにしてもよい。
【００３７】
また上述の実施例においては、点滅周期を短くして点灯の期間を短くする場合について述べたが、本発明はこれに限らず、点滅周期を一定に保持し、点灯と消灯とのデューティー比の制御により、点灯の期間を短くしてもよい。また点滅周期とデューティー比の制御との組み合わせにより点灯の期間を短くしてもよい。
【００３８】
また上述の実施例においては、本発明をＢｌｕｅｔｏｏｔｈによるパスコードの入力に適用する場合について述べたが、本発明はこれに限らず、種々のデータ通信におけるパスワードの入力に適用してもよく、各種セキュリティーシステムにおけるパスワードの入力、さらには携帯電話等における各種認証に適用してもよい。
【産業上の利用可能性】
【００３９】
本発明は、例えばＢｌｕｅｔｏｏｔｈによりオーディオデータを送受するオーディオ機器に適用することができる。
【図面の簡単な説明】
【００４０】
【図１】本発明の実施例１におけるオーディオシステムにおけるシステムコントローラの処理手順を示すフローチャートである。
【図２】本発明の実施例１におけるオーディオシステムを示すブロック図である。
【図３】図２のオーディオシステムにおける表示部１６の構成を示す平面図である。
【図４】表示部の表示の説明に供するタイムチャートである。
【図５】従来のオーディオ装置におけるパスコードの入力の説明に供するタイムチャートである。
【符号の説明】
【００４１】
１……オーディオシステム、２……本体装置、３……コンパクトディスクプレイヤー、６、１２……システムコントローラ、８、１６……表示部、１０、１４……送受信部
【図１】
2008107938.tif 000003
【図２】
2008107938.tif 000004
【図３】
2008107938.tif 000005
【図４】
2008107938.tif 000006
【図５】
2008107938.tif 000007